(57)【要約】蓄電装置は、電極組立体が収容されたケースと、ケースに設けられ、当該ケース内の圧力をケース外に開放させる圧力開放弁とを有する。圧力開放弁は、圧力開放弁の周縁の一部を構成する弧部と、交差溝と、交差溝の端部に繋がるとともに弧部に沿う複数の弧状溝とを有する。交差溝に沿って延長し、かつ圧力開放弁の周縁と交差する仮想直線を想定したとき、仮想直線と圧力開放弁の周縁とによって囲まれた第１の領域と、仮想直線と圧力開放弁の周縁によって囲まれた第２の領域とが想定される。第１の領域の弧部に接する部分は、第２の領域の弧部に接する部分よりも多い。第１の領域の面積が、第２の領域の面積よりも大きい。
2014073518.tif 000002
【特許請求の範囲】
【請求項１】
電極組立体が収容されたケースと、
前記ケースに設けられ、当該ケース内の圧力をケース外に開放させる圧力開放弁とを有し、
前記圧力開放弁は、
前記圧力開放弁の周縁の一部を構成する弧部と、
交差溝と、
前記交差溝の端部に繋がるとともに前記弧部に沿う複数の弧状溝とを有し、
前記交差溝に沿って延長し、かつ前記圧力開放弁の周縁と交差する仮想直線を想定したとき、前記仮想直線と前記圧力開放弁の周縁とによって囲まれた第１の領域と、前記仮想直線と前記圧力開放弁の周縁によって囲まれた第２の領域とが想定され、前記第１の領域の前記弧部に接する部分が前記第２の領域の前記弧部に接する部分よりも多くなるように前記第１及び第２の領域が構成され、
前記第１の領域の面積が、前記第２の領域の面積よりも大きい蓄電装置。
【請求項２】
前記交差溝は、２本の直線溝を含む請求項１に記載の蓄電装置。
【請求項３】
前記圧力開放弁の周縁は、平行な直線部を前記弧部で繋いだオーバルトラック形状である請求項１又は請求項２に記載の蓄電装置。
【請求項４】
前記仮想直線によって形成される前記第１の領域における角度は、前記仮想直線によって形成される前記第２の領域における角度に比較して大きい請求項１〜請求項３のうち何れか一項に記載の蓄電装置。
【請求項５】
前記交差溝には、前記交差溝の交差点を通って延びる少なくとも１本の溝がさらに交差している請求項１〜請求項４のうち何れか一項に記載の蓄電装置。
【請求項６】
前記ケースはケース壁を有し、前記ケース壁は、長辺と短辺とを有する矩形状であり、
前記交差溝に交差する前記少なくとも１本の溝は前記ケース壁の長辺方向に延びている請求項５に記載の蓄電装置。
【請求項７】
前記圧力開放弁は、前記交差溝の交差点を含む領域の裏側に、前記圧力開放弁の厚み方向において前記領域と重なる位置に溝を有する請求項１〜請求項６のうち何れか一項に記載の蓄電装置。
【請求項８】
前記圧力開放弁は、前記複数の弧状溝のうち隣り合う弧状溝における前記交差溝とは反対側の端部同士が離隔した部分に弧状溝離隔部を有し、
前記弧状溝離隔部の断面積は、前記第１の領域の面積の０．０１３７倍以上である請求項１〜請求項７のうち何れか一項に記載の蓄電装置。
【請求項９】
前記圧力開放弁は、
前記第２の領域の周縁に沿い、かつ前記弧状溝、及び前記交差溝にそれぞれ連続する複数の連続溝と、
該複数の連続溝のうち隣り合う連続溝の前記交差溝とは反対側の端部同士が離隔した部分に連続溝離隔部と、を有し、
前記連続溝離隔部の断面積は、前記第２の領域の面積の０．０１３７倍以上である請求項１〜請求項８のうち何れか一項に記載の蓄電装置。
【請求項１０】
前記圧力開放弁は、
前記ケースの板厚よりも薄い弁体と、
前記交差溝に繋がる複数の溝と、
前記複数の溝のうち隣り合う溝における前記交差溝と反対側の端部同士が離間した部分に離隔部と、を有し、
前記ケースと前記弁体とが繋がる部分のうち少なくとも前記離隔部に繋がる部分に、テーパ部又はアール部を有し、
前記テーパ部又は前記アール部が前記弁体に繋がっている請求項１〜請求項９のうち何れか一項に記載の蓄電装置。
【請求項１１】
前記蓄電装置は、二次電池である請求項１〜請求項１０のうち何れか一項に記載の蓄電装置。
【請求項１２】
前記圧力開放弁はその表面に前記交差溝と前記弧状溝とを有する請求項１〜請求項１１のうち何れか一項に記載の蓄電装置。
【請求項１３】
前記ケースはケース壁を有し、前記ケース壁は、前記ケースの外側に位置する表面と前記ケースの内側に位置する裏面とを有し、前記ケース壁の裏面には、前記ケース壁の厚み方向において前記交差溝の交差点と重なる位置に溝を有する請求項１〜請求項１２のうち何れか一項に記載の蓄電装置。
【発明の詳細な説明】
【技術分野】
【０００１】
本発明は、ケース内の圧力をケース外に開放させる圧力開放弁を有する蓄電装置に関する。
【背景技術】
【０００２】
ＥＶ（Electric Vehicle）やＰＨＶ（Plug in Hybrid Vehicle）などの車両には、原動機となる電動機への供給電力を蓄える蓄電装置としてリチウムイオン電池などの二次電池が搭載されている。この種の二次電池は、例えば、特許文献１に開示されている。二次電池は、金属箔に負極活物質を塗布した負極電極と、金属箔に正極活物質を塗布した正極電極と、両電極の間に介在して両電極を互いに絶縁するセパレータとを層状に積層した電極組立体を有する。そして、二次電池のケースには、電極組立体と電解液とが収容されている。また、二次電池のケースには、ケース内の圧力をケース外に開放させる圧力開放弁（ガス排出弁）が設けられている。
【先行技術文献】
【特許文献】
【０００３】
【特許文献１】特開２０１１−１８１２１４号公報
【発明の概要】
【発明が解決しようとする課題】
【０００４】
ガス排出弁の弁体は、開口面積を大きくするなどの理由により、特許文献１のガス排出弁の弁体のように略楕円形状で構成されている場合がある。そして、弁体には、ケース内の圧力が所定圧に達したときに弁体の開裂を促進させる溝が設けられている。例えば特許文献１の弁体には、直線状の内側溝部と、弁体の外周に沿う弧状の外周溝部が設けられている。しかしながら、直線状の溝と比べると弧状の溝は開裂し難い。このため、弧状の溝の開裂が進展しない場合には、ガス排出弁の開口面積として十分な面積が得られず、ケース内の圧力を開放させるときの迅速性を損なわせる虞がある。【０００５】
この発明の目的は、ケース内の圧力を迅速に開放し得る蓄電装置を提供することにある。
【課題を解決するための手段】
【０００６】
上記目的を達成するために本発明の一態様は、電極組立体が収容されたケースと、前記ケースに設けられ当該ケース内の圧力をケース外に開放させる圧力開放弁を有する蓄電装置を提供する。前記圧力開放弁は、前記圧力開放弁の周縁の一部を構成する弧部を有し、交差溝と、前記交差溝の端部に繋がるとともに前記弧部に沿う複数の弧状溝とを有する。前記交差溝に沿って延長し、かつ前記圧力開放弁の周縁と交差する仮想直線を想定したとき、前記仮想直線と前記圧力開放弁の周縁とによって囲まれ第１の領域と、前記仮想直線と前記圧力開放弁の周縁とによって囲まれた第２の領域とが想定される。前記第１の領域の前記弧部に接する部分が前記第２の領域の前記弧部に接する部分よりも多くなるように前記第１及び第２の領域が構成される。前記第１の領域の面積が、前記第２の領域の面積よりも大きい。【０００７】
この構成によれば、弧部に沿う弧状溝を有する場合に、弧部に接する部分が多い第１の領域の面積を弧部に接する部分が少ない第２の領域の面積よりも大きい面積としている。このため、第１の領域は、ケース内の圧力を受圧する面積が大きくなり、弧状溝の開裂が促進される。したがって、圧力開放弁の開口を大きくすることができ、ケース内の圧力を迅速に開放させることができる。【０００８】
上記蓄電装置において、前記交差溝は、２本の直線溝を含むことが好ましい。この構成によれば、圧力開放弁の開裂の初期には、直線溝によって圧力開放弁の開裂が促進される。したがって、ケース内の圧力を開放する場合の迅速性を向上させることができる。【０００９】
上記蓄電装置において、圧力開放弁の周縁は、平行な直線部を前記弧部で繋いだオーバルトラック形状とすることが好ましい。この構成によれば、四角形状の圧力開放弁に比較して圧力開放弁の開口を大きく設定することができる。したがって、ケース内の圧力を開放する場合の迅速性を向上させることができる。【００１０】
上記蓄電装置において、前記仮想直線によって形成される前記第１の領域における角度は、前記仮想直線によって形成される前記第２の領域における角度に比較して大きいことが好ましい。この構成によれば、交差溝の交差点付近の溝を開裂が始まる位置として定めることができ、前記溝を起点として開裂が始まり易い。その結果、圧力開放弁の開口形状や開口面積のばらつきを低減させることができる。【００１１】
上記蓄電装置において、前記交差溝には、前記交差溝の交差点を通って延びる少なくとも１本の溝がさらに交差していることが好ましい。この構成によれば、交差溝の交差点付近の溝を開裂が始まる位置として定めることができ、前記溝を起点として開裂が始まり易い。その結果、圧力開放弁の開口形状や開口面積のばらつきを低減させることができる。【００１２】
上記蓄電装置において、前記ケースの壁はケース壁を有し、前記ケース壁は、長辺と短辺とを有する矩形状であり、前記交差溝に交差する前記少なくとも１本の溝は前記ケース壁の長辺方向に延びていることが好ましい。この構成によれば、矩形状のケース壁に圧力開放弁を有する場合において、圧力開放弁の開口形状や開口面積のばらつきを確実に低減させることができる。【００１３】
上記蓄電装置において、前記圧力開放弁は、前記交差溝の交差点を含む領域の裏側に、前記圧力開放弁の厚み方向において前記領域と重なる位置に溝を有することが好ましい。この構成によれば、交差溝の交差点付近の溝を開裂が始まる位置として定めることができ、前記溝を起点として開裂が始まり易い。その結果、圧力開放弁の開口形状や開口面積のばらつきを低減させることができる。【００１４】
上記蓄電装置において、前記圧力開放弁は、前記複数の弧状溝のうち隣り合う弧状溝における前記交差溝とは反対側の端部同士が離隔した部分に弧状溝離隔部を有し、前記弧状溝離隔部の断面積は、前記第１の領域の面積の０．０１３７倍以上であることが好ましい。この構成によれば、第１の領域の周縁に、弧状溝が離隔した弧状溝離隔部を有し、弧状溝離隔部の断面積は、第１の領域の０．０１３７倍以上である。弧状溝離隔部が前述のように形成されていることにより、圧力開放弁が開裂したときに、第１の領域に相当する破片の飛散を抑止することができる。【００１５】
上記蓄電装置において、前記圧力開放弁は、前記第２の領域の周縁に沿い、かつ前記弧状溝、及び前記交差溝にそれぞれ連続する複数の連続溝と、該複数の連続溝のうち隣り合う連続溝の前記交差溝とは反対側の端部同士が離隔した部分に連続溝離隔部と、を有し、前記連続溝離隔部の断面積は、前記第２の領域の面積の０．０１３７倍以上であることが好ましい。この構成によれば、第２の領域の周縁に、連続溝と、連続溝が離隔した連続溝離隔部を有し、連続溝離隔部の断面積は、第２の領域の面積の０．０１３７倍以上である。連続溝離隔部が前述のように形成されていることにより、圧力開放弁が開裂したときに、第２の領域に相当する破片の飛散を抑止することができる。【００１６】
上記蓄電装置において、前記圧力開放弁は、前記ケースの板厚よりも薄い弁体と、前記交差溝に繋がる複数の溝と、前記複数の溝のうち隣り合う溝における前記交差溝とは反対側の端部同士が離間した部分に離隔部と、を有し、前記ケースと前記弁体とが繋がる部分のうち少なくとも前記離隔部に繋がる部分に、テーパ部又はアール部を有し、前記テーパ部又は前記アール部が前記弁体に繋がっている。この構成において、離隔部は、圧力開放弁が開裂した際に、弁体の破片を飛散させないようにケースに繋がっている状態を維持させる部位となる。このため、ケースと弁体とが繋がる部分のうち離隔部に繋がる部分にテーパ部又はアール部を介在させることで、その部分の強度を増すことができる。したがって、弁体の破片の飛散を抑止することができる。【００１７】
上記蓄電装置において、前記蓄電装置の好適な例としては、二次電池を挙げることができる。【００１８】
上記蓄電装置において、前記圧力開放弁はその表面に前記交差溝と前記弧状溝とを有することが好ましい。【００１９】
上記蓄電装置において、前記ケースはケース壁を有し、前記ケース壁は、前記ケースの外側に位置する表面と前記ケースの内側に位置する裏面とを有し、前記ケース壁の裏面には、前記ケース壁の厚み方向において前記交差溝の交差点と重なる位置に溝を有することが好ましい。
【発明の効果】
【００２０】
本発明によれば、ケース内の圧力を迅速に開放させることができる。
【図面の簡単な説明】
【００２１】
【図１】二次電池の外観を示す斜視図。
【図２】第１の実施形態の弁体の表裏両面を示す平面図。
【図３】第１の実施形態の弁体の表面を示す平面図。
【図４】第２の実施形態の弁体の表裏両面を示す平面図。
【図５】第２の実施形態の弁体の表面を示す平面図。
【図６】第３の実施形態の弁体の表裏両面を示す平面図。
【図７】第３の実施形態の弁体の表面を示す平面図。
【図８】第４の実施形態の弁体の表面を示す平面図。
【図９】第５の実施形態の弁体の表面を示す平面図。
【図１０】第６の実施形態の弁体の表面を示す平面図。
【図１１】第６の実施形態の弁体の裏面を示す平面図。
【図１２】図１０の１−１線断面図。
【図１３】（ａ）及び（ｂ）は、別例における弁体の裏面の一部を示す平面図。
【図１４】（ａ）〜（ｃ）は、別例における弁体の表面を示す平面図。
【図１５】（ａ）は、図１４（ｂ）の２−２線断面図、（ｂ）は、図１４（ｂ）の３−３線断面図。
【図１６】（ａ）は、別例における２−２線断面図、（ｂ）は、別例における３−３線断面図。
【発明を実施するための形態】
【００２２】
（第１の実施形態）
以下、蓄電装置を具体化した第１の実施形態を図１〜図３にしたがって説明する。
【００２３】
図１に示すように、蓄電装置としての二次電池１０は、ケース１１に収容された電極組立体１２を備える。また、ケース１１には、電極組立体１２とともに電解液も収容されている。ケース１１は、有底筒状のケース本体１３と、当該ケース本体１３に電極組立体１２を挿入するための開口部を閉塞する平板状の蓋体１４とからなる。ケース本体１３と蓋体１４とは、何れも金属製（例えば、ステンレスやアルミニウム）である。また、この実施形態の二次電池１０では、ケース本体１３が有底四角筒状であり、蓋体１４が矩形平板状である。そのため、二次電池１０は、角型の外観をなす角型電池である。また、この実施形態の二次電池１０は、リチウムイオン電池である。
【００２４】
電極組立体１２は、正極電極、負極電極、及び正極電極と負極電極とを互いに絶縁するセパレータを有する。正極電極は、正極金属箔（アルミニウム箔）の両面に正極活物質を塗布して構成される。負極電極は、負極金属箔（銅箔）の両面に負極活物質を塗布して構成される。そして、電極組立体１２は、複数の正極電極と複数の負極電極とを交互に積層するとともに、両電極の間にセパレータを介在した積層構造とされている。また、電極組立体１２には、正極端子１５と負極端子１６とが電気的に接続されている。これらの正極端子１５と負極端子１６との各一部分は、蓋体１４からケース１１外に露出している。また、正極端子１５及び負極端子１６には、ケース１１から絶縁するためのリング状の絶縁リング１７ａがそれぞれ取り付けられている。
【００２５】
また、ケース１１の蓋体１４には、ケース１１（ケース本体１３）内に電解液を注入するための注液孔１８が穿設されており、その注液孔１８は封止部材１９によって閉塞されている。封止部材１９は、蓋体１４の表面１４ａ（ケース外側の面）に固定されており、ケース１１外に露出している。また、ケース１１には、ケース１１内の圧力が上昇し過ぎないように、ケース１１内の圧力が所定の圧力である開放圧に達した場合に開裂し、ケース内外を連通させる圧力開放弁２０が設けられている。この実施形態において圧力開放弁２０は、ケース１１の蓋体１４に位置している。また、蓋体１４において封止部材１９（注液孔１８）と圧力開放弁２０とは、並んで位置している。圧力開放弁２０の開放圧は、ケース１１自体又はケース本体１３と蓋体１４との間の接合部に亀裂や破断などの損傷が生じ得る前に開裂し得る圧力に設定されている。そして、圧力開放弁２０は、蓋体１４の板厚よりも薄い薄板状の弁体２１を有する。弁体２１は、蓋体１４の上面に凹設された凹部２２の底に位置しており、蓋体１４と一体的に成形されている。
【００２６】
図２及び図３に示すように、圧力開放弁２０は、平行な２つの直線部２３，２４を弧部２５，２６で繋いだオーバルトラック形状の周縁を有する。なお、弁体２１は、圧力開放弁２０の周縁に繋がっており、圧力開放弁２０と同様にオーバルトラック形状である。図２は、直線部２３，２４の延びる方向に直交する方向で弁体２１を二等分する図中に一点鎖線で示す二等分線Ｌ１を境界とした時の弁体２１の表面２１ａと裏面２１ｂとを並べて図示している。
【００２７】
弧部２５の第１端が直線部２３の第１端に繋がっているとともに、弧部２５の第２端が直線部２４の第２端に繋がっている。弧部２６の第１端が直線部２３の第２端に繋がっているとともに、弧部２６の第２端が直線部２４の第２端に繋がっている。つまり、この実施形態において直線部２３，２４の第１端は、その全体を弧状とした弧部２５で繋がっているとともに、直線部２３，２４の第２端は、その全体を弧状とした弧部２６で繋がっている。圧力開放弁２０において、直線部２３，２４の端部と弧部２５，２６の端部とが繋がる部位が、直線部２３，２４と弧部２５，２６との間の境界Ｐ１，Ｐ２，Ｐ３，Ｐ４となる。
【００２８】
図３に示すように、弁体２１はその表面２１ａに複数の溝を有する。複数の溝は、隣り合う境界Ｐ１〜Ｐ４の位置を二点鎖線で示す直線で結んだ四角形状の領域内に位置する交差溝２７と、弧部２５，２６に沿う複数の弧状溝２８，２９とを含む。この実施形態において交差溝２７と弧状溝２８，２９とは、何れも断面Ｖ字形の溝である。
【００２９】
交差溝２７は、２本の直線溝２７ａ，２７ｂからなる。直線溝２７ａは、直線部２３，２４と弧部２５，２６との間の境界Ｐ１〜Ｐ４のうち、境界Ｐ１，Ｐ４を結ぶ仮想直線Ｙ１上に位置している。一方、直線溝２７ｂは、直線部２３，２４と弧部２５，２６との間の境界Ｐ１〜Ｐ４のうち、境界Ｐ２，Ｐ３を結ぶ仮想直線Ｙ２上に位置している。仮想直線Ｙ１，Ｙ２は、交差溝２７に沿って延長され、かつ圧力開放弁２０の周縁に交差する。また、仮想直線Ｙ１，Ｙ２は、直線部２３，２４と弧部２５，２６との間の境界Ｐ１〜Ｐ４に位置する２本の直線である。そして、２本の直線溝２７ａ，２７ｂは、弁体２１の中央で交差している。なお、境界Ｐ１，Ｐ４は仮想直線Ｙ１と圧力開放弁２０の周縁との交差点でもあり、境界Ｐ２，Ｐ３は仮想直線Ｙ２と圧力開放弁２０の周縁との交差点でもある。
【００３０】
また、弁体２１はその表面２１ａに、弧部２５に沿う２本の弧状溝２８を有するとともに、弧部２６に沿う２本の弧状溝２９を有する。２本の弧状溝２８のうち、一方の弧状溝２８は、直線溝２７ａにおいて境界Ｐ１近傍に位置する第１端に繋がっており、弧部２５に沿って弧状に延在している。また、２本の弧状溝２９のうち、一方の弧状溝２９は、直線溝２７ｂにおいて境界Ｐ２近傍に位置する第１端に繋がっており、弧部２６に沿って弧状に延在している。なお、２本の弧状溝２８のうち、他方の弧状溝２８は、直線溝２７ｂにおいて境界Ｐ３近傍に位置する第２端に繋がっており、弧部２５に沿って弧状に延在している。また、２本の弧状溝２９のうち、他方の弧状溝２９は、直線溝２７ａにおいて境界Ｐ４近傍に位置する第２端に繋がっており、弧部２６に沿って弧状に延在している。各弧状溝２８，２９は、直線溝２７ａ，２７ｂに繋がる端部とは反対側の端部の位置が二等分線Ｌ１から所定の距離を隔てた位置となる長さに設定されている。つまり、各弧状溝２８，２９は、弧部２５，２６の一部に沿って設けられている。これにより、弁体２１は、直線溝２７ａに繋がる１本の弧状溝２８及び１本の弧状溝２９を有するとともに、直線溝２７ｂに繋がる１本の弧状溝２８及び１本の弧状溝２９を有する。
【００３１】
そして、弁体２１の表面２１ａには、交差溝２７に沿う仮想直線Ｙ１，Ｙ２を想定したとき、仮想直線Ｙ１，Ｙ２と圧力開放弁２０の周縁とによって囲まれる複数の領域Ｓ１，Ｓ２，Ｓ３，Ｓ４が画定される。領域Ｓ１は、直線溝２７ａ，２７ｂの交差点Ｘと境界Ｐ１との間に位置する仮想直線Ｙ１の部分と、交差点Ｘと境界Ｐ２との間に位置する仮想直線Ｙ２の部分と、直線部２３と、によって区画される領域である。また、領域Ｓ２は、交差点Ｘと境界Ｐ３との間に位置する仮想直線Ｙ２の部分と、交差点Ｘと境界Ｐ４との間に位置する仮想直線Ｙ１の部分と、直線部２４と、によって区画される領域である。領域Ｓ１と領域Ｓ２とは、交差点Ｘを対称の中心として点対称である。
【００３２】
領域Ｓ３は、交差点Ｘと境界Ｐ１との間に位置する仮想直線Ｙ１の部分と、交差点Ｘと境界Ｐ３との間に位置する仮想直線Ｙ２の部分と、弧部２５と、によって区画される領域である。また、領域Ｓ４は、交差点Ｘと境界Ｐ２との間に位置する仮想直線Ｙ２の部分と、交差点Ｘと境界Ｐ４との間に位置する仮想直線Ｙ１の部分と、弧部２６と、によって区画される領域である。領域Ｓ３と領域Ｓ４とは、交差点Ｘを対称の中心として点対称である。
【００３３】
この実施形態において領域Ｓ１，Ｓ２は、仮想直線Ｙ１，Ｙ２が図２及び図３において二点鎖線で示す直線で結んだ四角形状の領域内に位置することで、直線部２３，２４のみに接する領域となる。一方、この実施形態において、領域Ｓ３，Ｓ４は、それぞれ弧部２５，２６を含む領域であり、それぞれ弧部２５，２６の全体に接する領域となる。そして、この実施形態において領域Ｓ１，Ｓ２は弧部２５，２６に接する部分が少ない第２の領域に対応し、領域Ｓ３，Ｓ４は弧部２５，２６に接する部分が多い第１の領域に対応する。即ち、領域Ｓ３，Ｓ４の弧部２５，２６に接する部分は、領域Ｓ１，Ｓ２の弧部２５，２６に接する部分よりも多い。そして、弁体２１の表面２１ａに位置する４つの領域Ｓ１〜Ｓ４の面積については、弧部２５，２６に接する部分が多い領域Ｓ３，Ｓ４の方が、弧部２５，２６に接する部分が少ない領域Ｓ１，Ｓ２に比較して大きい。即ち、領域Ｓ３の面積は、領域Ｓ１，Ｓ２の何れの面積よりも大きく、領域Ｓ４の面積は、領域Ｓ１，Ｓ２の何れの面積よりも大きい。
【００３４】
次に、本実施形態の作用を説明する。
【００３５】
ケース１１内の圧力は、弁体２１の裏面２１ｂが受圧面となることによって弁体２１を外方に膨張させるように加わる。また、弁体２１の各溝には、ケース１１の内側から加わる圧力によって応力が発生している。そして、ケース１１内の圧力が開放圧に達すると、最も応力が集中している直線溝２７ａ，２７ｂの交差点Ｘ付近の溝を起点として弁体２１が開裂する。この開裂により、弁体２１は、領域Ｓ１〜Ｓ４を区画する直線溝２７ａ，２７ｂに沿って４つの領域Ｓ１〜Ｓ４に分断される。また、直線溝２７ａ，２７ｂの開裂が弧状溝２８，２９に繋がる端部に達すると、弧状溝２８，２９の開裂も始まる。
【００３６】
このとき、この実施形態では、弧部２５，２６に接する領域Ｓ３，Ｓ４の面積が、直線部２３，２４のみに接する領域Ｓ１，Ｓ２の面積に比較して大きくしている。つまり、領域Ｓ３，Ｓ４の方が、領域Ｓ１，Ｓ２に比較して受圧面積が大きい。このため、弁体２１の裏面２１ｂに対してケース１１の内側から加わる圧力の大きさは、領域Ｓ３，Ｓ４の方が領域Ｓ１，Ｓ２に比較して大きくなる。
【００３７】
このように弁体２１の表面２１ａに位置する溝が開裂すると、弁体２１は、４つの領域Ｓ１〜Ｓ４に分断されつつ、外側にめくれ上がることによって、圧力開放弁２０には大きな開口が生じる。そして、ケース１１内の圧力は、圧力開放弁２０に生じた開口を通じてケース１１外に開放される。
【００３８】
したがって、本実施形態によれば、以下に示す効果を得ることができる。
【００３９】
（１）弧状溝２８，２９は、直線溝２７ａ，２７ｂに比較して開裂し難い。このため、弧部２５，２６に接する部分が多い領域Ｓ３，Ｓ４の面積を、弧部２５，２６に接する部分が少ない領域Ｓ１，Ｓ２の面積に比較して大きくすることで、領域Ｓ３，Ｓ４の受圧量が大きくなる。したがって、圧力開放弁２０の開口を大きくするために弧部２５，２６に沿う弧状溝２８，２９を有する圧力開放弁２０であっても、弧状溝２８，２９の開裂が促進されることで領域Ｓ３，Ｓ４が外側に開き易くなる。その結果、圧力開放弁２０の開きのバランスが良くなり、圧力開放弁２０の開口を大きくすることができる。つまり、ケース１１内の圧力を迅速に開放させることができる。
【００４０】
因みに、弧部２５，２６に接する領域Ｓ３，Ｓ４の受圧量が小さい場合には、弧状溝２８，２９の開裂が不十分になる虞がある。つまり、圧力開放弁２０の開きのバランスが悪いと、弧状溝２８，２９が十分に開裂せず、その結果、圧力開放弁２０の開口も小さくなる。したがって、ケース１１内の圧力を開放する場合の迅速性が損なわれる。
【００４１】
（２）交差溝２７は２本の直線溝２７ａ，２７ｂからなる。このため、弁体２１の開裂の初期において直線溝２７ａ，２７ｂによって開裂が促進される。したがって、ケース１１内の圧力を開放させる場合の迅速性を向上させることができる。
【００４２】
（３）圧力開放弁２０をオーバルトラック形状にすることで、圧力開放弁２０を四角形状にする場合に比較して圧力開放弁２０の開口を大きく設定することができる。したがって、ケース１１内の圧力を開放させる場合の迅速性を向上させることができる。
【００４３】
（４）交差溝２７に沿う２本の仮想直線Ｙ１，Ｙ２が、直線部２３，２４と弧部２５，２６との間の境界Ｐ１〜Ｐ４間に位置している。このため、４つの領域Ｓ１〜Ｓ４において、弧部２５，２６に接する部分が少ない領域Ｓ１，Ｓ２と弧部２５，２６に接する部分が多い領域Ｓ３，Ｓ４とに加わる圧力が極端に偏ることなく、各領域Ｓ１〜Ｓ４を確実に分断させることができる。したがって、圧力開放弁２０の開口を大きくすることができ、ケース１１内の圧力を開放させる場合の迅速性を向上させることができる。
【００４４】
（５）直線溝２７ａ，２７ｂが境界Ｐ１〜Ｐ４の付近まで延在しているので、弧状溝２８，２９を弧部２５，２６に沿わせて配置することができる。したがって、弁体２１の各溝が開裂した場合には、圧力開放弁２０の開口を大きくすることができる。
【００４５】
（６）直線溝２７ａ，２７ｂと弧状溝２８，２９とを繋げているので、直線溝２７ａ，２７ｂの開裂後、速やかに弧状溝２８，２９の開裂に移行させることができる。圧力開放弁２０は、直線溝２７ａ，２７ｂの開裂によって領域Ｓ１〜Ｓ４に分断されつつ、開裂の進行に合わせて弁体２１が外側にめくれ上がることで開口が生じ、その開口から圧力がケース１１外に開放される。このため、直線溝２７ａ，２７ｂから弧状溝２８，２９への開裂を速やかに移行させることで、圧力開放弁２０の開口量を十分に確保することができる。
【００４６】
（７）弧状溝２８，２９は弧部２５，２６の一部に沿うように設けられている。また、直線部２３，２４に沿う溝が設けられていない。このため、弁体２１は、各溝が開裂し、外側にめくれ上がっても、溝が設けていない箇所で繋がっている。したがって、弁体２１の破片が飛散することを防止できる。
【００４７】
（第２の実施形態）
以下、蓄電装置を具体化した第２の実施形態を図４及び図５にしたがって説明する。
【００４８】
なお、以下に説明する実施形態では、既に説明した実施形態と同一構成についてその重複する説明を省略又は簡略する。
【００４９】
図４及び図５に示すように、本実施形態の弁体２１はその表面２１ａに、交差溝２７（直線溝２７ａと直線溝２７ｂ）と弧状溝２８，２９とに加えて、直線部２３，２４に沿う複数の直線状溝３０，３１を有する。この実施形態において、直線状溝３０，３１は、断面Ｖ字状の溝である。なお、図３は、直線部２３，２４の延びる方向に直交する方向で弁体２１を二等分する図中に一点鎖線で示す二等分線Ｌ１を境界とした時の弁体２１の表面２１ａと裏面２１ｂとを並べて図示している。
【００５０】
弁体２１はその表面２１ａに、直線部２３に沿う２本の直線状溝３０，３１と、直線部２４に沿う２本の直線状溝３０，３１を有する。２本の直線状溝３０のうち、一方の直線状溝３０は、直線溝２７ａにおいて境界Ｐ１近傍に位置する第１端に繋がっており、直線部２３に沿って直線状に延在している。また、２本の直線状溝３１のうち、一方の直線状溝３１は、直線溝２７ｂにおいて境界Ｐ２近傍に位置する第１端に繋がっており、直線部２３に沿って直線状に延在している。なお、２本の直線状溝３０のうち、他方の直線状溝３０は、直線溝２７ｂにおいて境界Ｐ３近傍に位置する第２端に繋がっており、直線部２４に沿って直線状に延在している。また、２本の直線状溝３１のうち、他方の直線状溝３１は、直線溝２７ａにおいて境界Ｐ４近傍に位置する第２端に繋がっており、直線部２４に沿って直線状に延在している。
【００５１】
直線状溝３０，３１は、直線溝２７ａ，２７ｂに繋がる端部とは反対側の端部の位置が、交差点Ｘを通り、二等分線Ｌ１に垂直に交わる垂線Ｌ２から所定の距離を隔てた位置となる長さを有する。つまり、各直線状溝３０，３１は、直線部２３，２４の一部に沿って設けられている。これにより、弁体２１は、直線溝２７ａに繋がる１本の直線状溝３０及び１本の直線状溝３１を有するとともに、直線溝２７ｂに繋がる１本の直線状溝３０及び１本の直線状溝３１を有する。そして、この実施形態において直線状溝３０，３１は、領域Ｓ１，Ｓ２に位置する。また、領域Ｓ１と領域Ｓ２とは、交差点Ｘを対称の中心として点対称である。なお、各直線状溝３０，３１は、各直線溝２７ａ，２７ｂの端部に繋がる弧状溝２８，２９にも繋がる。
【００５２】
次に、本実施形態の作用を説明する。
【００５３】
この実施形態においても、直線溝２７ａ，２７ｂ及び弧状溝２８，２９の開裂、及び領域Ｓ１〜Ｓ４の分断は、第１の実施形態の作用で説明したように行われる。そして、この実施形態においては、直線溝２７ａ，２７ｂの開裂が直線状溝３０，３１に繋がる端部に達すると、弧状溝２８，２９の開裂とともに直線状溝３０，３１の開裂も始まる。これにより、各領域Ｓ１，Ｓ２において、直線部２３，２４に沿う弁体２１の一部が分断される。そして、弁体２１の表面２１ａに位置する溝が開裂すると、弁体２１は、４つの領域Ｓ１〜Ｓ４に分断されつつ、外側にめくれ上がることによって、圧力開放弁２０には大きな開口が生じる。
【００５４】
したがって、本実施形態では、第１の実施形態の効果（１）〜（７）に加えて、以下に示す効果を得ることができる。
【００５５】
（８）直線状溝３０，３１により、領域Ｓ１，Ｓ２が外側にめくれ上がることが促進される。つまり、直線状溝３０，３１の開裂により、領域Ｓ１，Ｓ２が外側に開き易くなる。その結果、圧力開放弁２０の開きのバランスが良くなり、圧力開放弁２０の開口を大きくすることができる。つまり、ケース１１内の圧力を迅速に開放させることができる。
【００５６】
（９）直線状溝３０，３１は直線部２３，２４の一部に沿うように設けられている。このため、領域Ｓ１，Ｓ２において、弁体２１の破片が飛散することを防止できる。
【００５７】
（第３の実施形態）
以下、蓄電装置を具体化した第３の実施形態を図６及び図７にしたがって説明する。
【００５８】
図６及び図７に示すように、この実施形態の弁体３２は、その形状の一部が第１，第２の実施形態の弁体２１と異なっている。弁体３２は、平行な直線部２３，２４を有する。そして、各直線部２３，２４の第１端には、直線部２３，２４の第２端を繋ぐ弧部２６と比較して曲率半径が小さい２つの弧部３３がそれぞれ繋がっている。２つの弧部３３は直線部３４に繋がっている。これにより、この実施形態の弁体３２は、略オーバルトラック形状である。なお、弁体３２の形状が、この実施形態における圧力開放弁の周縁の形状になる。そして、直線部２３，２４の端部と弧部２６，３３の端部とが繋がる部位が、直線部２３，２４と弧部２６，３３との間の境界Ｐ１，Ｐ２，Ｐ３，Ｐ４となる。なお、図４は、直線部２３，２４の延びる方向に直交する方向で弁体３２を二等分する図中に一点鎖線で示す二等分線Ｌ１を境界とした時の弁体３２の表面３２ａと裏面３２ｂとを並べて図示している。
【００５９】
弁体３２はその表面３２ａに複数の溝を有する。複数の溝は、交差溝２７と、弧部２６，３３に沿う複数の弧状溝２９，３５と、直線状溝３０，３１と、からなる。なお、この実施形態において、弧状溝３５は断面Ｖ字状の溝である。弁体３２はその表面３２ａに２本の弧状溝３５を有する。そして、２本の弧状溝３５のうち、一方の弧状溝３５は、直線溝２７ａにおいて境界Ｐ１近傍に位置する第１端に繋がっており、弧部３３に沿って弧状に延在している。一方、２本の弧状溝３５のうち、他方の弧状溝３５は、直線溝２７ｂにおいて境界Ｐ３側に位置する第２端に繋がっており、弧部３３に沿って弧状に延在している。２本の弧状溝３５は、直線溝２７ａ，２７ｂに繋がる端部とは反対側の端部の位置が二等分線Ｌ１から所定の距離を隔てた位置となる長さを有する。
【００６０】
そして、弁体３２の表面３２ａには、交差溝２７に沿う仮想直線Ｙ１，Ｙ２を想定したとき、第１，第２の実施形態と同様に、複数の領域Ｓ１，Ｓ２，Ｓ３，Ｓ４が画定される。領域Ｓ１，Ｓ２，Ｓ４は第１，第２の実施形態の領域Ｓ１，Ｓ２，Ｓ４と同じである。一方、この実施形態の領域Ｓ３は、交差点Ｘと境界Ｐ１との間に位置する仮想直線Ｙ１の部分と、交差点Ｘと境界Ｐ３との間に位置する仮想直線Ｙ２の部分と、２つの弧部３３と、直線部３４と、によって区画される領域である。そして、この実施形態において領域Ｓ３は、弧部３３に接する部分が多い領域であり、その面積は領域Ｓ１，Ｓ２の面積よりも大きく、領域Ｓ４の面積よりも小さい。
【００６１】
次に、本実施形態の作用を説明する。
【００６２】
この実施形態においても、直線溝２７ａ，２７ｂ、弧状溝２９，３５、直線状溝３０，３１の開裂、及び領域Ｓ１〜Ｓ４の分断は、第１，第２の実施形態の作用で説明したように行われる。そして、弁体３２の表面３２ａに位置する溝が開裂すると、弁体３２は、４つの領域Ｓ１〜Ｓ４に分断されつつ、外側にめくれ上がることによって、圧力開放弁２０には大きな開口が生じる。
【００６３】
したがって、本実施形態では、第１の実施形態の効果（１）〜（７）及び第２の実施形態の効果（８），（９）に加えて、以下に示す効果を得ることができる。なお、効果（３）は本実施形態の弁体３２のように略オーバルトラック形状でも生じ得る。また、効果（４）〜（７）は、弧部２５を弧部３３に、弧状溝２８を弧状溝３５にそれぞれ読み替えるものとする。
【００６４】
（１０）弧状溝３５は弧部３３に沿うように設けられている。そして、直線部３４の全体に沿うように溝が設けられていない。このため、領域Ｓ３において、弁体２１の破片が飛散することを防止できる。
【００６５】
（第４の実施形態）
以下、蓄電装置を具体化した第４の実施形態を図８にしたがって説明する。
【００６６】
図８に示すように、圧力開放弁２０の弁体３６はその表面２１ａに、第２の実施形態の弁体２１と同様に、交差溝２７（直線溝２７ａと直線溝２７ｂ）と、弧状溝２８，２９と、直線状溝３０，３１と、を有する。この実施形態の直線溝２７ａは、当該直線溝２７ａに沿って延長し、圧力開放弁２０の周縁である直線部２３，２４に交差する交差点Ｐ５，Ｐ６を結ぶ仮想直線Ｙ３上に位置している。交差点Ｐ５は境界Ｐ１から離れる一方で境界Ｐ２に近くなる位置にあり、交差点Ｐ６は境界Ｐ４から離れる一方で境界Ｐ３に近くなる位置にある。一方、この実施形態の直線溝２７ｂは、当該直線溝２７ｂに沿って延長し、圧力開放弁２０の周縁である直線部２３，２４に交差する交差点Ｐ７，Ｐ８を結ぶ仮想直線Ｙ４上に位置している。交差点Ｐ７は境界Ｐ２から離れる一方で境界Ｐ１に近くなる位置にあり、交差点Ｐ８は境界Ｐ３から離れる一方で境界Ｐ４に近くなる位置にある。
【００６７】
弁体３６の表面２１ａには、交差溝２７に沿う仮想直線Ｙ３，Ｙ４を想定したとき、仮想直線Ｙ３，Ｙ４と圧力開放弁２０の周縁によって囲まれる複数の領域Ｓ１，Ｓ２，Ｓ３，Ｓ４が画定される。領域Ｓ１は、直線溝２７ａ，２７ｂの交差点Ｘと交差点Ｐ５との間に位置する仮想直線Ｙ３の部分と、交差点Ｘと交差点Ｐ７との間に位置する仮想直線Ｙ４の部分と、直線部２３の一部と、によって区画される領域である。また、領域Ｓ２は、交差点Ｘと交差点Ｐ８との間に位置する仮想直線Ｙ４の部分と、交差点Ｘと交差点Ｐ６との間に位置する仮想直線Ｙ３の部分と、直線部２４の一部と、によって区画される領域である。領域Ｓ１と領域Ｓ２とは、交差点Ｘを対称の中心として点対称である。また、領域Ｓ１，Ｓ２は、仮想直線Ｙ３，Ｙ４の交差角が角度αとなる領域である。角度αは、仮想直線Ｙ３，Ｙ４が交差したときの内角である。また、角度αは、領域Ｓ１，Ｓ２に沿う交差溝２７によって形成される角度でもある。
【００６８】
領域Ｓ３は、交差点Ｘと交差点Ｐ５との間に位置する仮想直線Ｙ３の部分と、交差点Ｘと交差点Ｐ８との間に位置する仮想直線Ｙ４の部分と、直線部２３，２４の各一部と、弧部２５と、によって区画される領域である。また、領域Ｓ４は、交差点Ｘと交差点Ｐ７との間に位置する仮想直線Ｙ４の部分と、交差点Ｘと交差点Ｐ６との間に位置する仮想直線Ｙ３の部分と、直線部２３，２４の各一部と、弧部２６と、によって区画される領域である。領域Ｓ３と領域Ｓ４とは、交差点Ｘを対称の中心として点対称である。また、領域Ｓ３，Ｓ４は、仮想直線Ｙ３，Ｙ４の交差角が角度βとなる領域である。角度βは、仮想直線Ｙ３，Ｙ４が交差したときの内角である。また、角度βは、領域Ｓ３，Ｓ４に沿う交差溝２７によって形成される角度でもある。
【００６９】
この実施形態において領域Ｓ１，Ｓ２は弧部２５，２６に接する部分が少ない第２の領域となり、領域Ｓ３，Ｓ４は弧部２５，２６に接する部分が多い第１の領域となる。そして、この実施形態においても、４つの領域Ｓ１〜Ｓ４の面積は、弧部２５，２６に接する部分が多い領域Ｓ３，Ｓ４の方が、弧部２５，２６に接する部分が少ない領域Ｓ１，Ｓ２に比較して大きい。
【００７０】
また、この実施形態において領域Ｓ３，Ｓ４の角度βは、領域Ｓ１，Ｓ２の角度αに比較して大きい。仮想直線Ｙ３，Ｙ４の交差角は、同一の直線部２３上に位置する交差点Ｐ５，Ｐ７の離間距離が短くなるほど、角度αが小さくなり、その角度αの減少分だけ角度βが大きくなる。
【００７１】
次に、本実施形態の作用を説明する。
【００７２】
この実施形態においても、直線溝２７ａ，２７ｂと、弧状溝２８，２９と、直線状溝３０，３１との各開裂、及び領域Ｓ１〜Ｓ４の分断は、第１，第２の実施形態の作用で説明したように行われる。
【００７３】
また、この実施形態の交差溝２７のように、角度αに比較して角度βを大きくした場合には、角度αの減少に伴って、各直線溝２７ａ，２７ｂと直線状溝３０，３１とによって形成される角度γが大きくなる。これにより、直線溝２７ａ，２７ｂと直線状溝３０，３１との交点への応力集中が緩和される。一方で、角度αが減少すると、角度αを形成する部分が鋭くなることにより、ケース１１の内側から加わる圧力は交差点Ｘ付近へ集中し易い。その結果、交差点Ｘ付近の溝を起点として開裂が始まり易くなる。
【００７４】
因みに、角度βを角度α以下に設定した場合は、角度αの増加に伴って角度γは小さくなり、角度γを形成する部分が鋭くなる。これにより、ケース１１の内側から加わる圧力は、直線溝２７ａ，２７ｂと直線状溝３０，３１との交点付近へ集中し易く、その交点付近の溝を起点として開裂が始まり易くなってしまう。
【００７５】
したがって、本実施形態では、第１の実施形態の効果（１）〜（７）及び第２の実施形態の効果（８），（９）に加えて、以下に示す効果を得ることができる。
【００７６】
（１１）交差溝２７の交差角のうち、角度βを角度αに比較して大きくしている。このため、交差溝２７の交差点Ｘ付近の溝を開裂が始まる位置として定めることができ、前記溝を起点として開裂が始まり易い。その結果、圧力開放弁２０の開口形状や開口面積のばらつきを低減させることができる。
【００７７】
（第５の実施形態）
以下、蓄電装置を具体化した第５の実施形態を図１及び図９にしたがって説明する。
【００７８】
図１に示すように、圧力開放弁２０を有するケース壁としての蓋体１４は、長辺と短辺とを有する矩形状である。
【００７９】
図９に示すように、圧力開放弁２０は、直線部２３，２４の延びる方向が蓋体１４の長辺方向に一致するように位置している。圧力開放弁２０の弁体３７はその表面２１ａに、第２の実施形態の弁体２１と同様に、交差溝２７と、弧状溝２８，２９と、直線状溝３０，３１と、を有しているとともに、これらの溝に加えて、直線部２３，２４の延びる方向に直線状に延びる直線溝３８を有する。直線溝３８は、交差溝２７の交差点Ｘを通って延びている。また、直線溝３８は、弧状溝２８，２９の端部まで延び、その長さは蓋体１４の長辺方向に沿う圧力開放弁２０の長さよりも僅かに短く、圧力開放弁２０の全長とほぼ等しい長さを有する。
【００８０】
弁体３７の表面２１ａでは、直線溝２７ａと、直線溝２７ｂと、直線溝３８と、からなる３本の溝が交差している。そして、交差する３本の溝のうち、１本の直線溝３８が蓋体１４の長辺方向に延びている。
【００８１】
次に、本実施形態の作用を説明する。
【００８２】
この実施形態においても、直線溝２７ａ，２７ｂと、弧状溝２８，２９と、直線状溝３０，３１との各開裂、及び領域Ｓ１〜Ｓ４の分断は、第１，第２の実施形態の作用で説明したように行われる。
【００８３】
ケース１１内の圧力は、弁体３７の裏面２１ｂが受圧面となることによって弁体３７を外方に膨張させるように加わる。このとき、長辺と短辺を有する矩形状の蓋体１４は、長辺方向と短辺方向とにおいて膨張に伴う変形曲率が異なり、この変形具合は弁体３７にも同様に作用する。このため、この実施形態の弁体３７では、変形曲率が小さい短辺方向に直交する長辺方向に沿わせて直線溝３８が位置している。そして、直線溝３８は、交差溝２７の交差点Ｘを通るように延びている。これにより、ケース１１の内側から加わる圧力は交差点Ｘ付近へ集中し易くなり、交差点Ｘ付近の溝を起点として開裂が始まり易くなる。
【００８４】
したがって、本実施形態では、第１の実施形態の効果（１）〜（７）及び第２の実施形態の効果（８），（９）に加えて、以下に示す効果を得ることができる。
【００８５】
（１２）交差溝２７の交差点Ｘを通る直線溝３８を加えることで、交差溝２７の交差点Ｘ付近の溝を開裂が始まる位置として定めることができ、前記溝を起点として開裂が始まり易い。その結果、圧力開放弁２０の開口形状や開口面積のばらつきを低減させることができる。
【００８６】
（第６の実施形態）
以下、蓄電装置を具体化した第６の実施形態を図１０〜図１２にしたがって説明する。
【００８７】
図１０に示すように、圧力開放弁２０の弁体３９はその表面２１ａに、第２の実施形態の弁体２１と同様に、交差溝２７と、弧状溝２８，２９と、直線状溝３０，３１と、を有する。一方、圧力開放弁２０の弁体３９の裏面２１ｂは、溝４０を有する。溝４０は、当該溝４０の中心部に向かって湾曲した４つの湾曲壁４０ａ，４０ｂ，４０ｃ，４０ｄで囲んだ形状である。溝４０は、蓋体１４の厚み方向において交差溝２７の交差点Ｘと重なる位置に凹設されている。また、溝４０は、交差溝２７の交差点Ｘを含み、直線溝２７ａ，２７ｂの一部と重なる大きさを有する。これにより、溝４０は、圧力開放弁２０において交差溝２７の交差点Ｘを含む領域の裏側に、圧力開放弁２０の厚み方向において前記領域と重なる位置にある。
【００８８】
図１２に示すように、この実施形態の圧力開放弁２０は、溝４０の底と、溝４０が重なる交差溝２７の底との間に、薄膜部４１を有する。薄膜部４１は、溝４０が重なっていない交差溝２７の底と弁体３９の裏面２１ｂとの間の薄膜部４２よりも、溝４０の深さ分、薄くなっている。なお、薄膜部４１及び薄膜部４２は、弁体３９の板厚４３よりも薄い。
【００８９】
次に、本実施形態の作用を説明する。
【００９０】
この実施形態においても、直線溝２７ａ，２７ｂと、弧状溝２８，２９と、直線状溝３０，３１との各開裂、及び領域Ｓ１〜Ｓ４の分断は、第１，第２の実施形態の作用で説明したように行われる。
【００９１】
また、この実施形態の弁体３９は、交差溝２７の交差点Ｘを含み、溝４０の底と重なる部位が薄膜部４１によって最も薄くなっている。このため、ケース１１の内側から加わる圧力は交差点Ｘ付近へ集中し易くなり、交差点Ｘ付近の溝を起点として開裂が始まり易くなる。
【００９２】
したがって、本実施形態では、第１の実施形態の効果（１）〜（７）及び第２の実施形態の効果（８），（９）に加えて、以下に示す効果を得ることができる。
【００９３】
（１３）弁体３９の裏面２１ｂの溝４０により、交差溝２７の交差点Ｘ付近の溝を開裂が始まる位置として定めることができ、前記溝を起点として開裂が始まり易い。その結果、圧力開放弁２０の開口形状や開口面積のばらつきを低減させることができる。
【００９４】
（第７の実施形態）
以下、蓄電装置を具体化した第７の実施形態を、図５にしたがって説明する。
【００９５】
図５に示すように、圧力開放弁２０の弁体２１はその表面２１ａに、交差溝２７と、弧状溝２８，２９と、連続溝としての直線状溝３０，３１と、を有する。弧状溝２８の交差溝２７とは反対側の端部同士、及び弧状溝２９の交差溝２７とは反対側の端部同士は離隔している。弁体２１は、離隔した部分に、弧状溝離隔部５０を有する。弧状溝離隔部５０の断面積は、第１の領域である領域Ｓ３，Ｓ４の面積の０．０１３７倍以上となるように設定される。なお、弧状溝離隔部５０の断面積は、前記端部同士を結ぶ仮想的な直線に沿った断面積でも良いし、前記端部同士を弧部２５，２６に沿って結ぶ仮想的な曲線に沿った断面積でも良い。
【００９６】
また、直線状溝３０及び直線状溝３１の交差溝２７とは反対側の端部同士は離隔している。弁体２１は、離隔した部分に、連続溝離隔部としての直線状溝離隔部５１を有する。直線状溝離隔部５１の断面積は、第２の領域である領域Ｓ１，Ｓ２の面積の０．０１３７倍以上となるように設定される。直線状溝離隔部５１の断面積は、前記端部同士を結んだ仮想的な直線に沿った断面積である。
【００９７】
次に、本実施形態の作用を説明する。
【００９８】
この実施形態においても、直線溝２７ａ，２７ｂと、弧状溝２８，２９と、直線状溝３０，３１との各開裂、及び領域Ｓ１〜Ｓ４の分断は、第１，第２の実施形態の作用で説明したように行われる。
【００９９】
したがって、本実施形態では、第１の実施形態の効果（１）〜（７）及び第２の実施形態の効果（８），（９）に加えて、以下に示す効果を得ることができる。
【０１００】
（１４）弧状溝離隔部５０の断面積は、弧状溝離隔部５０が短くなると断面積が小さくなり、領域Ｓ３，Ｓ４の周縁部において溝が形成されていない部分が小さくなる。この場合、ケース１１内の圧力が上昇して、圧力開放弁２０が開裂したときに、弁体２１における領域Ｓ３，Ｓ４に相当する部分がケース１１から飛散してしまう。そこで、弧状溝離隔部５０の断面積が、領域Ｓ３，Ｓ４の面積の０．０１３７倍以上となるように弧状溝離隔部５０が形成されている。すると、上記のように領域Ｓ３，Ｓ４に相当する部分が飛散することを抑止することができる。
【０１０１】
また、直線状溝離隔部５１の断面積は、直線状溝離隔部５１が短くなると断面積が小さくなり、領域Ｓ１，Ｓ２の周縁部において溝が形成されていない部分が小さくなる。この場合、ケース１１内の圧力が上昇して、圧力開放弁２０が開裂したときに、弁体２１における領域Ｓ１，Ｓ２に相当する部分がケース１１から飛散してしまう。そこで、直線状溝離隔部５１の断面積が、領域Ｓ１，Ｓ２の面積の０．０１３７倍以上となるように直線状溝離隔部５１が形成されている。すると、上記のように領域Ｓ１，Ｓ２に相当する部分が飛散することを抑止することができる。
【０１０２】
なお、本実施形態は以下のように変更してもよい。
【０１０３】
○  図１４（ａ）〜図１４（ｃ）に示すように、直線溝２７ａ，２７ｂは、直線溝２７ａ，２７ｂに沿う仮想直線Ｙ１，Ｙ２が弧部２５，２６，３３の周縁に交差するように設けられても良い。この場合、直線溝２７ａ，２７ｂの各端部は弧部２５，２６，３３近傍に位置する。この場合でも、弧部２５，２６，３３に接する部分が多い領域の面積が、弧部２５，２６，３３に接する部分が少ない領域の面積よりも大きくなるように領域Ｓ１〜Ｓ４が設けられる。この構成によれば、第１〜第３の実施形態と同様の効果を得ることができる。なお、この別例は、第５，第６の実施形態においても、同様に適用できる。
【０１０４】
○  また、上記別例において、仮想直線Ｙ１，Ｙ２が弧部２５，２６，３３に交差する位置を、各境界Ｐ１〜Ｐ４からさらに離れてかつ弧部２５，２６，３３に近付く位置とし、これらの仮想直線Ｙ１，Ｙ２に沿って直線溝２７ａ，２７ｂを設けても良い。この場合、仮想直線Ｙ１，Ｙ２は、直線溝２７ａ，２７ｂと同様に弧部２５，２６，３３の周縁に交差する。なお、この場合には、弧部２５，２６，３３に接する部分が多い領域の面積が、弧部２５，２６，３３に接する部分が少ない領域の面積よりも大きくなるように領域Ｓ１〜Ｓ４を設ける。この場合でも、実施形態と同様の効果を得ることができる。
【０１０５】
○  直線溝２７ａ，２７ｂは、境界Ｐ１，Ｐ４、及び境界Ｐ２，Ｐ３をそれぞれ結ぶ仮想直線Ｙ１，Ｙ２線上に位置する場合に限らず、同一直線部２３，２４に位置する境界近傍の端部同士が近付く位置に位置していても良い。この別例を適用した場合の仮想直線Ｙ１，Ｙ２は、例えば図８に示すように、直線溝２７ａ，２７ｂに沿って延長され、直線部２３，２４と交差する。
【０１０６】
○  圧力開放弁２０の形状は弧部を有する形状であれば、他の形状に変更しても良い。圧力開放弁２０の形状は、例えば、楕円形状でも良いし、円形状でも良い。また、圧力開放弁２０の形状は、直線部２３，２４の第１端を弧部で繋ぎ、第２端を直線部で繋いだ形状でも良い。
【０１０７】
○  交差溝２７を、Ｘ字状に代えて、Ｙ字状に変更しても良い。
【０１０８】
○  弁体２１，３２，３６，３７，３９において溝は、裏面に設けても良い。なお、第６の実施形態の場合、弁体３９の裏面に交差溝２７、弧状溝２８，２９及び直線状溝３０，３１などの溝を設けた場合、弁体３９の表面２１ａに溝４０を設ける。
【０１０９】
○  各溝の断面形状を変更しても良い。
【０１１０】
○  ケース１１の形状を変更しても良い。例えば、ケース１１は円筒型でも良い。
【０１１１】
○  圧力開放弁２０をケース１１とは別体部品とし、その圧力開放弁２０をケース１１に接合しても良い。接合は、溶接（例えばレーザ溶接）など任意の接合方法で行う。
【０１１２】
○  電極組立体１２は、積層型に限らず、帯状の正極電極と帯状の負極電極を捲回して層状に積層した捲回型でも良い。
【０１１３】
○  二次電池１０は、リチウムイオン二次電池であったが、これに限らず、他の二次電池であっても良い。二次電池１０は、要は、正極活物質層と負極活物質層との間をイオンが移動するとともに電荷の授受を行うものであれば良い。また、上記各実施形態は、蓄電装置としてキャパシタに適用しても良い。
【０１１４】
○  二次電池１０は、車両電源装置として自動車に搭載しても良いし、産業用車両に搭載しても良い。また、上記各実施形態は、定置用の蓄電装置に適用しても良い。
【０１１５】
○  第３の実施形態において、弁体３２の表面３２ａに設ける溝を交差溝２７と弧状溝２９，３５としても良い。
【０１１６】
○  第４の実施形態において、弁体３６の形状を、交差点Ｐ５，Ｐ７を繋ぐ直線部と、交差点Ｐ６，Ｐ８を繋ぐ直線部と、交差点Ｐ５，Ｐ８を繋ぐ弧部と、交差点Ｐ６，Ｐ７を繋ぐ弧部と、を有するオーバルトラック形状としても良い。この場合でも、実施形態と同様の効果を得ることができる。
【０１１７】
○  第５の実施形態において、交差溝２７に交差する溝の本数を変更しても良い。例えば、２本の直線溝３８を交差させても良い。また、直線溝３８が複数である場合には、少なくとも１本の直線溝３８が蓋体１４の長辺方向に延びていることが好ましいが、全ての直線溝３８が長辺方向に対して交差する方向に延びていても良い。この場合でも、実施形態と同様の効果を得ることができる。
【０１１８】
○  第５の実施形態において、直線溝３８の長さを変更しても良い。直線溝３８は、実施形態の直線溝３８に比較して短くても良い。また、直線溝３８は、領域Ｓ３，Ｓ４のうち、何れか一方の領域のみに延びる溝でも良い。例えば、直線溝３８は、領域Ｓ３のみに延びる溝でも良い。
【０１１９】
○  図１３（ａ）及び図１３（ｂ）に示すように、第６の実施形態における溝４０の形状を変更しても良い。図１３（ａ）は、溝４０を円形とした例を示し、図１３（ｂ）は、溝４０を楕円形とした例を示している。溝４０は、交差溝２７の交差点Ｘと重なる位置にあり、溝４０の底と交差溝２７の底との間に薄膜部４１が位置すれば、その形状は任意に変更することができる。この場合でも、実施形態と同様の効果を得ることができる。
【０１２０】
○  第４の実施形態における交差溝２７の角度α，βの関係は、直線状溝３０，３１を有さない第１の実施形態の弁体２１における交差溝２７に適用しても良いし、第３の実施形態の弁体３２における交差溝２７に適用しても良い。同様に、交差溝２７の角度α，βの関係は、第５，第６の実施形態に適用しても良い。
【０１２１】
○  第５の実施形態における直線溝３８は、直線状溝３０，３１を有さない第１の実施形態の弁体２１における交差溝２７に適用しても良いし、第３の実施形態の弁体３２における交差溝２７に適用しても良い。同様に、直線溝３８は、第５，第６の実施形態に適用しても良い。
【０１２２】
○  第６の実施形態における溝４０は、直線状溝３０，３１を有さない第１の実施形態の弁体２１に適用しても良いし、第３の実施形態の弁体３２に適用しても良い。同様に、溝４０は、第５，第６の実施形態に適用しても良い。
【０１２３】
○  直線状溝３０，３１は、必ずしも全部分が直線状でなくても良い。直線状溝３０，３１は、交差溝２７と弧状溝２８，２９とに連続し、一部が弁体の直線部２３，２４に沿うものであれば良い。
【０１２４】
○  第７の実施形態における弧状溝離隔部５０と直線状溝離隔部５１とは、弧状溝２８，２９や直線状溝３０，３１を有する弁体を開示する他の実施形態や図１４に示す別例においても同様に適用することができる。例えば、第１の実施形態において弧部２５に沿う弧状溝２８の間と弧部２６に沿う弧状溝２９の間とのそれぞれに弧状溝離隔部５０を設けても良い。また、第２，第４，第５，第６の実施形態において、第７の実施形態と同様に弧状溝離隔部５０と直線状溝離隔部５１とを設けても良い。また、第３の実施形態において弧部２６に沿う弧状溝２９の間と弧部３３に沿う弧状溝３５の間とのそれぞれに弧状溝離隔部５０を有し、直線状溝３０，３１の間に直線状溝離隔部５１を有しても良い。
【０１２５】
○  図１４（ｂ）の２−２線、及び３−３線に示す部位のように蓋体１４と弁体２１とが繋がる部分を、図１５（ａ），（ｂ）に示すようにテーパ状に繋げても良い。蓋体１４と弁体２１とが繋がる部分には、テーパ部５５，５６が位置しており、弁体２１の周縁に直接繋がっている。テーパ部５５，５６は、傾斜面５５ａ，５６ａと、傾斜面５５ａ，５６ａに連接される弁体２１の表面２１ａとの角度θが鈍角となるように傾斜している。これにより、蓋体１４と弁体２１は、直角の状態で繋がらず、滑らかに繋がる。このように蓋体１４と弁体２１とが繋がる部分にテーパ部５５，５６を介在させることにより、弁体２１の周縁の強度を増すことができる。
【０１２６】
また、図１５（ａ）に示すように、離隔部としての弧状溝離隔部５０及び直線状溝離隔部５１に繋がる部分のテーパ部５５の角度θを、図１５（ｂ）に示すように、他の部位に繋がる部分のテーパ部５６の角度θよりも大きくすることで、弧状溝離隔部５０及び直線状溝離隔部５１が位置する弁体２１の周縁の強度をさらに増すことができる。図１５（ｂ）に示す他の部位とは、溝としての弧状溝２８，２９及び直線状溝３０，３１が弁体２１の周縁に沿って位置している部位である。弧状溝離隔部５０は、第７の実施形態で説明したように、複数の弧状溝２８，２９のうち、隣り合う弧状溝２８，２９における交差溝２７と反対側の端部同士が離間した部分である。直線状溝離隔部５１は、第７の実施形態で説明したように、複数の直線状溝３０，３１のうち、隣り合う直線状溝３０，３１における交差溝２７と反対側の端部同士が離間した部分である。つまり、弧状溝離隔部５０及び直線状溝離隔部５１は、何れも、弧状溝２８，２９や直線状溝３０，３１が位置していない部分である。
【０１２７】
圧力開放弁２０が開裂した際には、弧状溝離隔部５０及び直線状溝離隔部５１によって弁体２１の破片が蓋体１４に繋がっている状態を維持させようとするが、テーパ部５５を介在させて強度を増すことで、弁体２１の破片の破断をより確実に抑止できる。つまり、圧力開放弁２０の開裂に伴って弁体２１の破片が飛散することを防止できる。
【０１２８】
○  図１４（ｂ）の２−２線、及び３−３線に示す部位のように蓋体１４と弁体２１とが繋がる部分を、図１６（ａ），（ｂ）に示すように弧状に繋げても良い。この場合、蓋体１４と弁体２１とが繋がる部分には、前述した別例におけるテーパ部５５，５６に代えてアール部５７，５８が位置しており、弁体２１の周縁に直接繋がっている。アール部５７，５８は、蓋体１４に向かって凹むように湾曲している。これにより、蓋体１４と弁体２１は、直角の状態で繋がらず、滑らかに繋がる。また、図１６（ａ）に示すように、離隔部としての弧状溝離隔部５０及び直線状溝離隔部５１に繋がる部分のアール部５７の曲率半径を、図１６（ｂ）に示すように、他の部位に繋がる部分のアール部５８の曲率半径よりも大きくすることもできる。このように蓋体１４と弁体２１とが繋がる部分にアール部５７，５８を設ければ、前述した別例でテーパ部５５，５６を設けた場合と同様の効果を得られる。
【０１２９】
○  前述したテーパ部５５，５６及びアール部５７，５８は、第１〜第７の実施形態の構成や、その他の別例の構成に適用しても良い。
【０１３０】
また、テーパ部５５とテーパ部５６は同一構成でも良い。また、アール部５７とアール部５８は同一構成でも良い。さらに、テーパ部５５，５６や、アール部５７，５８は、弁体２１の全周縁に位置する場合に限らず、一部分の周縁のみに位置していても良い。具体的には、弧状溝離隔部５０や直線状溝離隔部５１が位置する周縁のみに設けられていても良い。  ○  弁体２１は、蓋体１４の表面を凹ませた凹部の底に位置していても良いし、蓋体１４の裏面を凹ませた凹部の底に位置していても良い。また、蓋体１４の表面及び裏面のそれぞれを凹ませた各凹部の底の間に位置していても良い。そして、前述したテーパ部５５，５６又はアール部５７，５８は、凹部の角部に位置することにより、蓋体１４と弁体２１とが繋がる部分に介在される。蓋体１４の表面は、ケース本体１３に蓋体１４を接合した場合にケース１１の外面となる面である。蓋体１４の裏面は、ケース本体１３に蓋体１４を接合した場合にケース１１の内面となる面である。
【符号の説明】
【０１３１】
１０…二次電池、１１…ケース、１２…電極組立体、１４…蓋体、２０…圧力開放弁、２１，３２，３６，３７，３９…弁体、２１ａ，３２ａ…表面、２１ｂ，３２ｂ…裏面、２３，２４…直線部、２５，２６，３３…弧部、２７…交差溝、２７ａ，２７ｂ…直線溝、２８，２９，３５…弧状溝、３８…直線溝、４０…溝、５０…弧状溝離隔部、５１…直線状溝離隔部、ａ，ｂ…角度、Ｓ１〜Ｓ４…領域、Ｐ１〜Ｐ４…境界、Ｙ１〜Ｙ４…仮想直線、Ｘ…交差点。
【図１】
2014073518.tif 000003
【図２】
2014073518.tif 000004
【図３】
2014073518.tif 000005
【図４】
2014073518.tif 000006
【図５】
2014073518.tif 000007
【図６】
2014073518.tif 000008
【図７】
2014073518.tif 000009
【図８】
2014073518.tif 000010
【図９】
2014073518.tif 000011
【図１０】
2014073518.tif 000012
【図１１】
2014073518.tif 000013
【図１２】
2014073518.tif 000014
【図１３】
2014073518.tif 000015
【図１４】
2014073518.tif 000016
【図１５】
2014073518.tif 000017
【図１６】
2014073518.tif 000018
【手続補正書】
【提出日】平成27年4月3日(2015.4.3)
【手続補正１】
【補正対象書類名】特許請求の範囲
【補正対象項目名】請求項１３
【補正方法】変更
【補正の内容】
【請求項１３】
前記ケースはケース壁を有し、前記ケース壁は、前記ケースの外側に位置する表面と前記ケースの内側に位置する裏面とを有し、前記ケース壁の裏面には、前記ケース壁の厚み方向において前記交差溝の交差点と重なる位置に溝を有する請求項１〜請求項５のうち何れか一項に記載の蓄電装置。
【手続補正２】
【補正対象書類名】明細書
【補正対象項目名】００１２
【補正方法】変更
【補正の内容】
【００１２】
上記蓄電装置において、前記ケースはケース壁を有し、前記ケース壁は、長辺と短辺とを有する矩形状であり、前記交差溝に交差する前記少なくとも１本の溝は前記ケース壁の長辺方向に延びていることが好ましい。この構成によれば、矩形状のケース壁に圧力開放弁を有する場合において、圧力開放弁の開口形状や開口面積のばらつきを確実に低減させることができる。
【手続補正３】
【補正対象書類名】明細書
【補正対象項目名】００４９
【補正方法】変更
【補正の内容】
【００４９】
図４及び図５に示すように、本実施形態の弁体２１はその表面２１ａに、交差溝２７（直線溝２７ａと直線溝２７ｂ）と弧状溝２８，２９とに加えて、直線部２３，２４に沿う複数の直線状溝３０，３１を有する。この実施形態において、直線状溝３０，３１は、断面Ｖ字状の溝である。なお、図４は、直線部２３，２４の延びる方向に直交する方向で弁体２１を二等分する図中に一点鎖線で示す二等分線Ｌ１を境界とした時の弁体２１の表面２１ａと裏面２１ｂとを並べて図示している。
【手続補正４】
【補正対象書類名】明細書
【補正対象項目名】００５８
【補正方法】変更
【補正の内容】
【００５８】
図６及び図７に示すように、この実施形態の弁体３２は、その形状の一部が第１，第２の実施形態の弁体２１と異なっている。弁体３２は、平行な直線部２３，２４を有する。そして、各直線部２３，２４の第１端には、直線部２３，２４の第２端を繋ぐ弧部２６と比較して曲率半径が小さい２つの弧部３３がそれぞれ繋がっている。２つの弧部３３は直線部３４に繋がっている。これにより、この実施形態の弁体３２は、略オーバルトラック形状である。なお、弁体３２の形状が、この実施形態における圧力開放弁の周縁の形状になる。そして、直線部２３，２４の端部と弧部２６，３３の端部とが繋がる部位が、直線部２３，２４と弧部２６，３３との間の境界Ｐ１，Ｐ２，Ｐ３，Ｐ４となる。なお、図６は、直線部２３，２４の延びる方向に直交する方向で弁体３２を二等分する図中に一点鎖線で示す二等分線Ｌ１を境界とした時の弁体３２の表面３２ａと裏面３２ｂとを並べて図示している。
【手続補正５】
【補正対象書類名】明細書
【補正対象項目名】０１３０
【補正方法】変更
【補正の内容】
【０１３０】
また、テーパ部５５とテーパ部５６は同一構成でも良い。また、アール部５７とアール部５８は同一構成でも良い。さらに、テーパ部５５，５６や、アール部５７，５８は、弁体２１の全周縁に位置する場合に限らず、一部分の周縁のみに位置していても良い。具体的には、弧状溝離隔部５０や直線状溝離隔部５１が位置する周縁のみに設けられていても良い。
○  弁体２１は、蓋体１４の表面を凹ませた凹部の底に位置していても良いし、蓋体１４の裏面を凹ませた凹部の底に位置していても良い。また、蓋体１４の表面及び裏面のそれぞれを凹ませた各凹部の底の間に位置していても良い。そして、前述したテーパ部５５，５６又はアール部５７，５８は、凹部の角部に位置することにより、蓋体１４と弁体２１とが繋がる部分に介在される。蓋体１４の表面は、ケース本体１３に蓋体１４を接合した場合にケース１１の外面となる面である。蓋体１４の裏面は、ケース本体１３に蓋体１４を接合した場合にケース１１の内面となる面である。
【手続補正６】
【補正対象書類名】明細書
【補正対象項目名】０１３１
【補正方法】変更
【補正の内容】
【０１３１】
１０…二次電池、１１…ケース、１２…電極組立体、１４…蓋体、２０…圧力開放弁、２１，３２，３６，３７，３９…弁体、２１ａ，３２ａ…表面、２１ｂ，３２ｂ…裏面、２３，２４…直線部、２５，２６，３３…弧部、２７…交差溝、２７ａ，２７ｂ…直線溝、２８，２９，３５…弧状溝、３８…直線溝、４０…溝、５０…弧状溝離隔部、５１…直線状溝離隔部、α，β…角度、Ｓ１〜Ｓ４…領域、Ｐ１〜Ｐ４…境界、Ｙ１〜Ｙ４…仮想直線、Ｘ…交差点。
【手続補正書】
【提出日】平成28年5月2日(2016.5.2)
【手続補正１】
【補正対象書類名】特許請求の範囲
【補正対象項目名】全文
【補正方法】変更
【補正の内容】
【特許請求の範囲】
【請求項１】
電極組立体が収容されたケースと、
前記ケースに設けられ、当該ケース内の圧力をケース外に開放させる圧力開放弁とを有し、
前記圧力開放弁は、
前記圧力開放弁の周縁の一部を構成する弧部と、
互いに交差する２本の直線溝を含む交差溝と、
前記交差溝の端部に繋がるとともに前記弧部に沿う複数の弧状溝とを有し、
前記交差溝に沿って延長し、かつ前記圧力開放弁の周縁と交差する２本の仮想直線を想定したとき、前記各仮想直線と前記圧力開放弁の周縁とによって囲まれた第１の領域と、前記各仮想直線と前記弧部とによって囲まれた第２の領域とが想定され、前記第１の領域の前記弧部に接する部分が前記第２の領域の前記弧部に接する部分よりも多くなるように前記第１及び第２の領域が構成され、
前記第１の領域の面積が、前記第２の領域の面積よりも大きい蓄電装置。
【請求項２】
前記圧力開放弁の周縁は、平行な直線部を前記弧部で繋いだオーバルトラック形状である請求項１に記載の蓄電装置。
【請求項３】
前記仮想直線によって形成される前記第１の領域における角度は、前記仮想直線によって形成される前記第２の領域における角度に比較して大きい請求項１又は請求項２に記載の蓄電装置。
【請求項４】
前記交差溝には、前記交差溝の交差点を通って延びる少なくとも１本の溝がさらに交差している請求項１〜請求項３のうち何れか一項に記載の蓄電装置。
【請求項５】
前記ケースはケース壁を有し、前記ケース壁は、長辺と短辺とを有する矩形状であり、
前記交差溝に交差する前記少なくとも１本の溝は前記ケース壁の長辺方向に延びている請求項４に記載の蓄電装置。
【請求項６】
前記圧力開放弁は、前記交差溝の交差点を含む領域の裏側に、前記圧力開放弁の厚み方向において前記領域と重なる位置に溝を有する請求項１〜請求項５のうち何れか一項に記載の蓄電装置。
【請求項７】
前記圧力開放弁は、前記複数の弧状溝のうち隣り合う弧状溝における前記交差溝とは反対側の端部同士が離隔した部分に弧状溝離隔部を有し、
前記弧状溝離隔部の断面積は、前記第１の領域の面積の０．０１３７倍以上である請求項１〜請求項６のうち何れか一項に記載の蓄電装置。
【請求項８】
前記圧力開放弁は、
前記第２の領域の周縁に沿い、かつ前記弧状溝、及び前記交差溝にそれぞれ連続する複数の連続溝と、
該複数の連続溝のうち隣り合う連続溝の前記交差溝とは反対側の端部同士が離隔した部分に連続溝離隔部と、を有し、
前記連続溝離隔部の断面積は、前記第２の領域の面積の０．０１３７倍以上である請求項１〜請求項７のうち何れか一項に記載の蓄電装置。
【請求項９】
前記圧力開放弁は、
前記ケースの板厚よりも薄い弁体と、
前記交差溝に繋がる複数の溝と、
前記複数の溝のうち隣り合う溝における前記交差溝と反対側の端部同士が離間した部分に離隔部と、を有し、
前記ケースと前記弁体とが繋がる部分のうち少なくとも前記離隔部に繋がる部分に、テーパ部又はアール部を有し、
前記テーパ部又は前記アール部が前記弁体に繋がっている請求項１〜請求項８のうち何れか一項に記載の蓄電装置。
【請求項１０】
前記蓄電装置は、二次電池である請求項１〜請求項９のうち何れか一項に記載の蓄電装置。
【請求項１１】
前記圧力開放弁はその表面に前記交差溝と前記弧状溝とを有する請求項１〜請求項１０のうち何れか一項に記載の蓄電装置。
【請求項１２】
前記ケースはケース壁を有し、前記ケース壁は、前記ケースの外側に位置する表面と前記ケースの内側に位置する裏面とを有し、前記ケース壁の裏面には、前記ケース壁の厚み方向において前記交差溝の交差点と重なる位置に溝を有する請求項１〜請求項４のうち何れか一項に記載の蓄電装置。
【手続補正２】
【補正対象書類名】明細書
【補正対象項目名】０００６
【補正方法】変更
【補正の内容】
【０００６】
上記目的を達成するために本発明の一態様は、電極組立体が収容されたケースと、前記ケースに設けられ当該ケース内の圧力をケース外に開放させる圧力開放弁を有する蓄電装置を提供する。前記圧力開放弁は、前記圧力開放弁の周縁の一部を構成する弧部と、互いに交差する２本の直線溝を含む交差溝と、前記交差溝の端部に繋がるとともに前記弧部に沿う複数の弧状溝とを有する。前記交差溝に沿って延長し、かつ前記圧力開放弁の周縁と交差する２本の仮想直線を想定したとき、前記各仮想直線と前記圧力開放弁の周縁によって囲まれた第１の領域と、前記各仮想直線と前記弧部とによって囲まれた第２の領域とが想定される。前記第１の領域の前記弧部に接する部分が前記第２の領域の前記弧部に接する部分よりも多くなるように前記第１及び第２の領域が構成される。前記第１の領域の面積が、前記第２の領域の面積よりも大きい。
【手続補正３】
【補正対象書類名】明細書
【補正対象項目名】０００８
【補正方法】変更
【補正の内容】
【０００８】
また、前記交差溝が、２本の直線溝を含む構成によれば、圧力開放弁の開裂の初期には、直線溝によって圧力開放弁の開裂が促進される。したがって、ケース内の圧力を開放する場合の迅速性を向上させることができる。
【国際調査報告】
2014073518.tif 000019
2014073518.tif 000020
2014073518.tif 000021
2014073518.tif 000022